(57)【特許請求の範囲】
【請求項１】
ＳＤＨフレーム内のセクションオーバヘッドの保守打ち合わせ用のＥ１バイトによる音声信号と、ＳＤＨフレームの光信号の波長と異なる波長の保守監視情報を伝送するＬＳＶフレーム内の保守打ち合わせ用のＥ１Ｌバイトによる音声信号とをカップリングさせる手段を備えた
ことを特徴とするＳＤＨ伝送システム。
【請求項２】
ＳＤＨ伝送システムに於ける再生中継装置において、
ＳＤＨフレーム内のセクションオーバヘッドの保守打ち合わせ用のＥ１バイト抽出挿入部と、
ＳＤＨフレームの光信号の波長と異なる波長の保守監視情報を伝送するＬＳＶフレーム内の保守打ち合わせ用のＥ１Ｌバイト抽出挿入部と、
前記Ｅ１バイト抽出挿入部により抽出したＥ１バイトによる音声信号と前記Ｅ１Ｌバイト抽出挿入部により抽出したＥ１Ｌバイトによる音声信号とを加算し、該加算した音声信号を、前記ＥＩバイト抽出挿入部により前記Ｅ１バイトに、且つ前記Ｅ１Ｌバイト抽出挿入部により前記Ｅ１Ｌバイトにそれぞれ挿入するカップリング手段と
を備えたことを特徴とする再生中継装置。
【請求項３】
ＳＤＨ伝送システムに於ける端局伝送装置において、
ＳＤＨフレーム内のセクションオーバヘッドの保守打ち合わせ用のＥ１バイト抽出挿入部と、
ＳＤＨフレームの光信号の波長と異なる波長の保守監視情報を伝送するＬＳＶフレーム内の保守打ち合わせ用のＥ１Ｌバイト抽出挿入部と、
前記Ｅ１バイト抽出挿入部により抽出したＥ１バイトによる音声信号と前記Ｅ１Ｌバイト抽出挿入部により抽出したＥ１Ｌバイトによる音声信号とを加算し、該加算した音声信号を、前記ＥＩバイト抽出挿入部により前記Ｅ１バイトに、且つ前記Ｅ１Ｌバイト抽出挿入部により前記Ｅ１Ｌバイトにそれぞれ挿入するカップリング手段と
を備えたことを特徴とする端局伝送装置。
【発明の詳細な説明】
【０００１】
【発明の属する技術分野】
本発明は、保守用の打ち合わせ回線（ＯＷ：オーダーワイヤー）を有するＳＤＨ（Ｓｙｎｃｈｒｏｎｏｕｓ  Ｄｉｇｉｔａｌ  Ｈｉｅｒａｒｃｈｙ）伝送システム及びその再生中継装置及び端局装置に関する。
【０００２】
大容量のＳＤＨ伝送システムにおいて、或る地域の中心局から他の遠隔地域の端局伝送装置へ信号を伝送する際、山頂等の中継局に設置した中継装置を何段か経由して信号が伝送される。対向する端局伝送装置までの距離が長距離であれば、中継装置は複数設けられ、端局伝送装置間の接続ノード数が増大する。
【０００３】
端局伝送装置間の接続ノード数の多いＳＤＨ伝送システムでは、中継装置の故障等により保守作業を行うとき、遠隔の端局伝送装置又は中継装置の保守者と連絡する必要が生じる場合が多々あり、保守業務打ち合わせのための打ち合わせ回線が、ＳＤＨ伝送システムの主信号回線及び主信号回線とは別の副信号回線に設けられている。
【０００４】
【従来の技術】
図４は従来のＳＤＨフレーム信号を用いた打ち合わせ回線システムの説明図である。図において、４−１はネットワーク監視装置、４−２はＡ地域中心局端局伝送装置、４−３は線型中継装置、４−４は再生中継装置、４−５はＢ地域端局伝送装置、４−６は光信号伝送ケーブル、４−７はＥ１バイト抽出挿入部（図示のＥ１バイト抽出挿入部４−７の「バイト」を省略している）、４−８はディジタル／アナログ変換部、４−９は打ち合わせ用電話機である。
Ａ地域中心局端局伝送装置４−２、線型中継装置４−３、再生中継装置４−４及びＢ地域端局伝送装置４−５の間はおおよそ８０ｋｍ程度、即ち、中継間隔が８０ｋｍの場合を図示している。
【０００５】
Ａ地域中心局端局伝送装置４−２、再生中継装置４−４及びＢ地域端局伝送装置４−５に設けられているＥ１バイト抽出挿入部４−７は、ＳＤＨフレームのセクションオーバヘッドに定義されている保守打ち合わせ用のＥ１バイトを、ＳＤＨフレーム信号から抽出し、又保守打ち合わせ音声信号をＳＤＨフレームのセクションオーバヘッドのＥ１バイトに挿入する。
【０００６】
ディジタル／アナログ変換部４−８は、前記Ｅ１バイト抽出挿入部４−７から出力されるディジタル音声信号をアナログ音声信号に変換して打ち合わせ用電話機４−９に送出し、又打ち合わせ用電話機４−９からのアナログ音声信号をディジタル音声信号に変換してＥ１バイト抽出挿入部４−７に送出する。
【０００７】
前記Ａ地域中心局端局伝送装置４−２、再生中継装置４−４又はＢ地域端局伝送装置４−５の保守者同士は、前記保守打ち合わせ用のＥ１バイトを使用し、光信号伝送ケーブル４−６、前記Ｅ１バイト抽出挿入部４−７及びディジタル／アナログ変換部４−８を介することにより打ち合わせ通話を行うことができる。
【０００８】
しかし、前記再生中継装置４−４は、ＳＤＨフレームの光信号を一旦電気信号に変換して信号を再生し、波形整形を行った再生信号を再び光信号に変換して中継するため、保守打ち合わせ用のＥ１バイトを抽出又は挿入することができるが、前記線型中継装置４−３は、ＳＤＨフレームの光信号を電気信号に変換することなく光信号のまま光増幅器により増幅中継するため、線型中継装置４−３の保守者は前記Ｅ１バイトを用いて打ち合わせ通話を行うことができない。
【０００９】
線型中継装置は、伝送されてきたＳＤＨフレームの光信号を光のまま増幅して伝送するだけなので、信号を高速に中継することができ、又再生中継装置に比べてネットワーク構築のコスト低減を図ることができるが、ＳＤＨフレームのセクションオーバヘッドに定義された保守監視用のバイトを用いて、種々の保守監視を行うことができない。
【００１０】
そのため、線型中継装置の保守監視情報を、ＳＤＨフレームの光信号の波長とは異なる特定帯域光信号としてＳＤＨフレームの光信号とともに光信号伝送ケーブルに波長多重して伝送し、前記線型中継装置４−３は、該特定帯域光信号のみを分離抽出して電気信号に変換し、電気信号の保守監視情報として出力し、又電気信号の保守監視情報を光信号に変換してＳＤＨフレームの光信号に波長多重して挿入することにより、該特定帯域光信号を用いて線型中継装置の保守監視制御及び他の中継装置又は端局伝送装置の保守者との打ち合わせ通話を行うことができるようにした保守監視制御システムが提案されている。
【００１１】
前記特定帯域光信号を用いた線型中継装置の保守監視制御システムは、ＬＳＶ（ＳｕｐｅｒＶｉｓｏｒｙ  ｓｙｓｔｅｍ  ｆｏｒ  Ｌｉｎｅａｒ  ｒｅｐｅａｔｅｒ）システムと称され、又前記保守監視制御用の特定帯域光信号はＬＳＶ信号、その信号フレームはＬＳＶフレームと称されている。ＬＳＶ信号回線は、主信号光波長とは別の波長の光信号として、主信号と同―の光ファイバー内にＬＳＶ信号を波長多重して伝送する回線である。ＬＳＶ信号回線は、大容量の主信号回線が光レべル低下等の伝送劣化を生じても、ＬＳＶ信号の光レベルが正常であれば、主信号の影響を受けず正常通信が可能である。
【００１２】
図５はＬＳＶシステムの説明図である。図において、５−１はＡ地域端局伝送装置、５−２は線型中継装置、５−３は再生中継装置、５−４はＢ地域端局伝送装置である。Ａ地域端局伝送装置５−１と線型中継装置５−２との間、線型中継装置５−２と再生中継装置５−３との間及び、再生中継装置５−３とＢ地域端局伝送装置５−４との間は、ＳＤＨフレーム光信号の主信号とＬＳＶ信号とが波長多重されて伝送される。
【００１３】
線型中継装置５−２は、ＳＤＨフレームの主信号に対しては光増幅するのみで電気信号に変換せず（非終端）、ＬＳＶ信号に対して光／電気変換を行い、保守監視制御情報を入／出力（終端）する。再生中継装置５−３は、ＳＤＨフレームの主信号及びＬＳＶ信号に対して光／電気変換を行い、保守監視・制御情報を入／出力（終端）する。
【００１４】
図６は線型中継装置の説明図である。図において、６−１はネットワーク監視装置、６−２はＡ地域端局伝送装置、６−３は線型中継装置、６−３１はＬＳＶ信号波長分離部、６−３２はＬＳＶ信号波長多重部、６−３３は光増幅器、６−３４はＬＳＶ信号インタフェース部、６−３５は保守監視制御情報入／出力部である。ＬＳＶ信号波長分離部６−３１とＬＳＶ信号波長多重部６−３２と光増幅器６−３３とにより、光増幅部を形成する。６−４はＢ地域端局伝送装置、６−５は光信号伝送ケーブルである。
【００１５】
図６において、ネットワーク監視装置６−１は、Ａ地域中心局端局伝送装置６−２から光信号伝送ケーブル６−５を介して、保守監視制御情報をＬＳＶ信号により主信号に波長多重して線型中継装置６−３に送信する。
【００１６】
線型中継装置６−３のＬＳＶ信号波長分離部６−３１は、主信号から該ＬＳＶ信号を分離し、ＬＳＶ信号インタフェース部６−３４に送出する。ＬＳＶ信号インタフェース部６−３４はＬＳＶ光信号を電気信号に変換し、保守監視制御情報入／出力部６−３５に電気信号の保守監視制御情報を送出する。このようにしてネットワーク監視装置６−１から線型中継装置６−３に保守監視制御情報を送出することができる。
【００１７】
又、保守監視制御情報入／出力部６−３５から送信される電気信号の保守監視制御情報（例えば、装置番号、設定スイッチ情報等）は、ＬＳＶ信号インタフェース部６−３４によりＬＳＶ光信号に変換され、該ＬＳＶ光信号はＬＳＶ信号波長多重部６−３２により主信号に多重され、光増幅器６−３３により増幅され、光信号伝送ケーブル６−５を介して、Ａ地域端局伝送装置６−２又はＢ地域端局伝送装置６−４に送信される。
【００１８】
図７は従来のＬＳＶフレーム信号を用いた打ち合わせ回線の説明図である。図において、７−１はネットワーク監視装置、７−２はＡ地域中心局端局伝送装置、７−３は線型中継装置、７−４は再生中継装置、７−５はＢ地域端局伝送装置、７−６は光信号伝送ケーブル、７−７はＥ１Ｌバイト抽出挿入部（名称の「バイト」は図示を省略している）、７−８はディジタル／アナログ変換部、７−９は打ち合わせ用電話機である。
【００１９】
Ｅ１Ｌ抽出挿入部７−７は、ＬＳＶフレーム信号の打ち合わせ回線用バイトＥ１Ｌを、光信号伝送ケーブル７−６から分離して抽出し、又光信号伝送ケーブルに波長多重して挿入する。図７において、他の構成は図４に示した構成と同一であるので重複した説明は省略する。
【００２０】
Ａ地域中心局端局伝送装置７−２、線型中継装置７−３、再生中継装置７−４及びＢ地域端局伝送装置７−５の保守者同士は、前記ＬＳＶフレーム信号の打ち合わせ回線用バイトＥ１Ｌを使用し、前記Ｅ１Ｌバイト抽出挿入部７−７及びディジタル／アナログ変換部７−８を介することにより打ち合わせ通話を行うことができる。
【００２１】
図８は前記ＳＤＨフレーム及びＬＳＶ信号のフレームの説明図である。図において、（Ａ）はＳＴＭ−０（ＳＴＭ：Ｓｙｎｃｈｒｏｎｏｕｓ  Ｔｒａｎｓｆｅｒ  Ｍｏｄｅ  同期転送モード）のＳＤＨフレームを示している。１フレームは、３バイト×９行のセクションオーバヘッド８−１と８７バイト×９行のぺイロード８−２とにより構成される。
【００２２】
セクションオーバヘッド８−１に配置されるバイトは標準化され、Ａ１，Ａ２バイトはフレーム同期バイト、Ｃ１バイトはＳＴＭフレーム識別バイト、Ｂ１バイトは誤り監視バイト、Ｅ１バイトは保守者音声打合せバイト、Ｆ１バイトはユーザチャネルバイト、Ｄ１〜Ｄ１２バイトはデータコミュニケーションチャネルバイト、Ｈ１，Ｈ２バイトはＡＵポインタバイト、Ｈ３バイトはスタッフ同期処理バイト、Ｋ１バイトは切換え制御バイト、Ｋ２バイトはセクション警報表示バイト、Ｚ１，Ｚ３バイトは予備、Ｚ２は誤り通知バイトとして用いられる。
【００２３】
図８の（Ｂ）はＬＳＶ信号のフレームを示し、１フレームはＴＳ１〜ＴＳ２４の２４個のタイムスロット及びフレーム同期ビットＦにより構成され、１．５４４Ｍｂｐｓの伝送速度である。各タイムスロットＴＳ１〜ＴＳ２４は、１タイムスロット当たり１バイトの情報を伝送し、タイムスロットＴＳ１〜ＴＳ２４のうち、Ｅ１Ｌバイトは打ち合わせ回線用バイト、Ｆ１Ｌバイトは故障判定と遠隔制御用バイト、Ｆ１−ＦＥＲＭバイトは線型中継装置への障害通知バイト、ＬＳＶ−ＡＩＳバイトはＬＳＶ回線故障通知バイト、ＤＣＣＬバイトはＬＳＶ回線データコミュニケーションチャネルに割当てられている。（ＩＴＵ−Ｔ勧告Ｇ．７０４，Ｉ．４３１参照）
【００２４】
【発明が解決しようとする課題】
従来のＳＤＨフレーム内のＥ１バイトを用いた打ち合わせ回線は、端局伝送装置及び再生中継装置においてＥ１バイトを抽出し、ディジタル／アナログ変換を行い、保守者の電話端末に音声信号を送出する。又、その逆変換も行われる。
【００２５】
一方、従来のＬＳＶフレーム内のＥ１Ｌバイトを用いた打ち合わせ回線は、端局伝送装置、線型中継装置及び再生中継装置においてＥ１Ｌバイトを抽出し、ディジタル／アナログ変換を行い、保守者の電話端末に音声信号を送出する。又、その逆変換も行われる。
【００２６】
しかし、これらの従来ＳＤＨフレーム内のＥ１バイトを用いた打ち合わせ回線及びＬＳＶフレーム内のＥ１Ｌバイトを用いた打ち合わせ回線は、それぞれ別個の独立した打ち合わせ回線であり、ＳＤＨフレーム伝送網内の光ファイバーの伝送品質が劣化した場合、或いはＳＤＨフレーム内のＥ１バイト又はＬＳＶフレーム内のＥ１Ｌバイトの抽出挿入部に故障が発生した場合、Ｅ１バイトを用いた打ち合わせ回線及びＥ１Ｌバイトを用いた打ち合わせ回線のいずれの打ち合わせ回線によっても、端局伝送装置又は中継装置間の保守者同士の打ち合わせ通話ができなくなることが屡々発生した。
【００２７】
図９はＳＤＨフレームを用いた打ち合わせ回線の通話不能区間の説明図であり、図１０はＬＳＶフレームを用いた打ち合わせ回線の通話不能区間の説明図である。図９及び図１０において‘△’は光信号伝送ケーブルの伝送品質劣化の発生箇所、‘×’は故障装置、‘×⇔’は通話不能区間、‘○⇔’は通話可能区間を示す。
【００２８】
図９において、９−１はネットワーク監視装置、９−２はＡ地域中心局端局伝送装置、９−３は線型中継装置、９−４は再生中継装置、９−５はＢ地域端局伝送装置、９−６１は区間ａの光信号伝送ケーブル、９−６２は区間ｂの光信号伝送ケーブル、９−６３は区間ｃの光信号伝送ケーブル、９−７１はＡ地域中心局端局伝送装置のＥ１バイト抽出挿入部、９−７２は再生中継装置のＥ１バイト抽出挿入部（名称の「バイト」は図示を省略している）、９−７３はＢ地域端局伝送装置のＥ１バイト抽出挿入部、９−９は打ち合わせ用電話機である。
【００２９】
（１）は、区間ａの光信号伝送ケーブル９−６１が劣化し、Ａ地域中心局端局伝送装置９−２の監視者と再生中継装置９−４の保守者との間の打ち合わせが不能となる場合を示している。又（２）は、区間ｂの光信号伝送ケーブル９−６２が劣化し、Ａ地域中心局端局伝送装置９−２の監視者と再生中継装置９−４の保守者との間の打ち合わせが不能となる場合を示している。又（３）は、区間ｃの光信号伝送ケーブル９−６３が劣化し、再生中継装置９−４の保守者とＢ地域端局伝送装置９−５の保守者との間の打ち合わせが不能となる場合を示している。
【００３０】
又（４）は、Ａ地域中心局端局伝送装置９−２のＥ１バイト抽出挿入部９−７１が故障し、Ａ地域中心局端局伝送装置９−２の監視者と再生中継装置９−４の保守者との間の打ち合わせが不能となる場合を示している。又（５）は、再生中継装置９−４のＥ１バイト抽出挿入部９−７２が故障し、Ａ地域中心局端局伝送装置９−２の監視者と再生中継装置９−４の保守者との間及び再生中継装置９−４の保守者とＢ地域端局伝送装置９−５の保守者との間の打ち合わせが不能となる場合を示している。
【００３１】
図１０において、１０−１はネットワーク監視装置、１０−２はＡ地域中心局端局伝送装置、１０−３は線型中継装置、１０−４は再生中継装置、１０−５はＢ地域端局伝送装置、１０−６１は区間ａの光信号伝送ケーブル、１０−６２は区間ｂの光信号伝送ケーブル、１０−６３は区間ｃの光信号伝送ケーブル、１０−７１はＡ地域中心局端局伝送装置のＥ１Ｌバイト抽出挿入部、１０−７２は線型中継装置のＥ１Ｌバイト抽出挿入部、１０−７３は再生中継装置のＥ１Ｌバイト抽出挿入部、１０−７４はＢ地域端局伝送装置のＥ１バイト抽出挿入部、１０−９は打ち合わせ用電話機である。
【００３２】
（１）、（２）及び（３）はそれぞれＳＤＨフレームの主信号の区間ａ，区間ｂ，区間ｃの伝送品質が劣化した場合を示し、ＳＤＨフレームの主信号のいずれの伝送品質が劣化しても、ＬＳＶ信号が伝送可能であれば、各端局伝送装置及び線型又は再生中継装置の監視者又は保守者との間の打ち合わせは可能である。
【００３３】
しかし、（４）、（５）又は（６）に示すように、Ａ地域中心局端局伝送装置１０−２のＥ１Ｌバイト抽出挿入部１０−７１、線型中継装置１０−３のＥ１Ｌバイト抽出挿入部１０−７２又は再生中継装置１０−４のＥ１Ｌバイト抽出挿入部１０−７３が故障した場合、Ａ地域中心局端局伝送装置１０−２の監視者と線型中継装置１０−３の保守者との間、線型中継装置１０−３の保守者と再生中継装置１０−４の保守者との間、又は再生中継装置１０−４の保守者とＢ地域端局伝送装置１０−５の保守者との間の打ち合せが不能となる。
【００３４】
以上説明したように、ＳＤＨフレーム内のＥ１バイトを用いた打ち合わせ回線又はＬＳＶ信号フレーム内のＥ１Ｌバイトを用いた打ち合わせ回線は、伝送路の劣化又は各Ｅ１若しくはＥ１Ｌバイトの抽出挿入等の処理部の故障によりその機能を果たせなくなる。この場合、中継局に保守者が入局し、保守をしようとした時に、監視者との打ち合わせが不能となる。
本発明は、伝送品質劣化又は装置故障により、保守のための打ち合わせ回線が通話不能となる確率を大幅に低減することを目的とする。
【００３５】
【課題を解決するための手段】
本発明のＳＤＨ伝送システムは、（１）端局伝送装置間を線型中継装置及び再生中継装置を介して接続したＳＤＨ伝送システムであって、ＳＤＨフレーム内のセクションオーバヘッドの保守打ち合わせ用のＥ１バイトによる音声信号と、ＳＤＨフレームの光信号の波長と異なる波長の保守監視情報を伝送するＬＳＶフレーム内の保守打ち合わせ用のＥ１Ｌバイトによる音声信号とをカップリングさせるアナログインタフェース部１−８２’等の手段を備えている。従って、Ｅ１バイトによる保守打ち合わせとＥ１Ｌバイトによる保守打ち合わせとのいずれによっても行うことができる。
【００３６】
又本発明の再生中継装置は、（２）ＳＤＨ伝送システムに於ける再生中継装置であって、ＳＤＨフレーム内のセクションオーバヘッドの保守打ち合わせ用のＥ１バイト抽出挿入部１−７１と、ＳＤＨフレームの光信号の波長と異なる波長の保守監視情報を伝送するＬＳＶフレーム内の保守打ち合わせ用のＥ１Ｌバイト抽出挿入部１−７２と、Ｅ１バイト抽出挿入部１−７１により抽出したＥ１バイトによる音声信号とＥ１Ｌバイト抽出挿入部１−７２により抽出したＥ１Ｌバイトによる音声信号とを加算し、この加算した音声信号を、ＥＩバイト抽出挿入部１−７１により前記Ｅ１バイトに、且つＥ１Ｌバイト抽出挿入部１−７２により前記Ｅ１Ｌバイトにそれぞれ挿入するカップリング手段とを備えている。
【００３７】
又本発明の端局伝送装置は、（３）ＳＤＨ伝送システムに於ける端局伝送装置であって、ＳＤＨフレーム内のセクションオーバヘッドの保守打ち合わせ用のＥ１バイト抽出挿入部１−７１と、ＳＤＨフレームの光信号の波長と異なる波長の保守監視情報を伝送するＬＳＶフレーム内の保守打ち合わせ用のＥ１Ｌバイト抽出挿入部１−７２と、Ｅ１バイト抽出挿入部１−７１により抽出したＥ１バイトによる音声信号とＥ１Ｌバイト抽出挿入部１−７２により抽出したＥ１Ｌバイトによる音声信号とを加算し、この加算した音声信号を、ＥＩバイト抽出挿入部１−７１により前記Ｅ１バイトに、且つＥ１Ｌバイト抽出挿入部１−７２により前記Ｅ１Ｌバイトにそれぞれ挿入するカップリング手段とを備えている。
【００３８】
【発明の実施の形態】
図１は本発明の実施の形態の打ち合わせ回線システムの説明図である。図において、１−１はネットワーク監視装置、１−２はＡ地域中心局端局伝送装置、１−３は線型中継装置、１−４は再生中継装置、１−５はＢ地域端局伝送装置、１−６１はＳＤＨフレームの主信号回線、１−６２はＬＳＶ回線、１−７１はＥ１バイト抽出挿入部（名称の「バイト」の図示を省略）、１−７２はＥ１Ｌバイト抽出挿入部（名称の「バイト」の図示を省略）、１−８１はディジタル／アナログ変換部、１−８２はアナログインタフェース部、１−８２’はカップリング手段を備えたアナログインタフェース部、１−９ａ〜１−９ｇは打ち合わせ用電話機である。
【００３９】
Ａ地域中心局端局伝送装置１−２、再生中継装置１−４及びＢ地域端局伝送装置１−５に設けられているＥ１バイト抽出挿入部１−７１は、ＳＤＨフレームのセクションオーバヘッドに定義されている保守打ち合わせ用のＥ１バイトを、ＳＤＨフレームから抽出し、又該Ｅ１バイトをＳＤＨフレームに挿入する。
【００４０】
又、Ａ地域中心局端局伝送装置１−２、線形中継装置１−３、再生中継装置１−４及びＢ地域端局伝送装置１−５に設けられているＥ１Ｌバイト抽出挿入部１−７２は、ＬＳＶフレームの保守打ち合わせ用のＥ１Ｌバイトを、光信号伝送ケーブルから分離して抽出し、又該Ｅ１Ｌバイトを光信号伝送ケーブルに波長多重して挿入する。
【００４１】
ディジタル／アナログ変換部１−８１は、前記Ｅ１バイト抽出挿入部１−７１及びＥ１Ｌバイト抽出挿入部１−７２から出力されるディジタル音声信号をアナログ音声信号に変換してアナログインタフェース部１−８２に送出し、又、アナログインタフェース部１−８２からのアナログ音声信号をディジタル信号に変換してＥ１バイト抽出挿入部１−７１又はＥ１Ｌバイト抽出挿入部１−７２に送出する。
【００４２】
Ａ地域中心局端局伝送装置１−２、線形中継装置１−３、及びＢ地域端局伝送装置１−５に設けられたアナログインタフェース部１−８２は、打ち合わせ用電話機１−９にアナログ音声信号を送出し、又打ち合わせ用電話機１−９からのアナログ音声信号をディジタルアナログ変換部１−８１に送出する。
【００４３】
再生中継装置１−４に設けられたアナログインタフェース部１−８２’は、打ち合わせ用電話機１−９にアナログ音声信号を送出し、又打ち合わせ用電話機１−９からのアナログ音声信号をディジタルアナログ変換部１−８１に送出するとともに、Ｅ１バイト及びＥ１Ｌバイトから抽出されアナログ信号に変換された二つの音声信号を合成するカップリング手段を備えている。このカップリング手段は、Ｅ１バイトによる音声信号とＥ１Ｌバイトによる音声信号とを結合し、結合した音声信号をＥ１バイトとＥ１Ｌバイトとにより分配して送出する加算回路等によって構成されている。
【００４４】
又図１の（１）〜（２１）は、Ａ地域中心局端局伝送装置１−２、線型中継装置１−３、再生中継装置１−４及びＢ地域端局伝送装置１−５の保守者同士が、打ち合わせ用電話機１−９により通話可能な範囲を示している。なお、図中、‘◎’を付した範囲は、従来の打ち合わせ回線接続方式では通話不可能な範囲を示している。
【００４５】
（１）の範囲は、Ａ地域中心局端局伝送装置１−２の打ち合わせ用電話機１−９ａ→Ａ地域中心局端局伝送装置１−２のＥ１Ｌバイト抽出挿入部→ＬＳＶ回線１−６２→再生中継装置１−４のＥ１Ｌバイト抽出挿入部→再生中継装置１−４のアナログインタフェース部１−８２’→再生中継装置１−４のＥ１バイト抽出挿入部→ＳＤＨフレームの主信号回線１−６１→Ａ地域中心局端局伝送装置１−２のＥ１バイト抽出挿入部１−７１→Ａ地域中心局端局伝送装置１−２の打ち合わせ用電話機１−９ｂの経路により、通話を行うことができる。この場合、Ａ地域中心局端局伝送装置１−２内の保守者は、Ｅ１バイトを介する打ち合わせ電話機１−９ｂ及びＥ１Ｌバイトを介する打ち合わせ電話機１−９ａの２つの電話機を設けた場合を示し、他の中継装置又は端局伝送装置の保守者と三者通話を行うことができる。なお、何れか一方の電話機のみを設けることもできる。又（２）の範囲は、従来どおりＥ１Ｌバイトを用いて通話を行うことができる。
【００４６】
（３）の範囲は、Ａ地域中心局端局伝送装置１−２の打ち合わせ用電話機１−９ａ→Ａ地域中心局端局伝送装置１−２のＥ１Ｌバイト抽出挿入部→ＬＳＶ回線１−６２→再生中継装置１−４のＥ１Ｌバイト抽出挿入部→再生中継装置１−４のアナログインタフェース部１−８２’→再生中継装置１−４の打ち合わせ用電話機１−９ｄの経路により、通話を行うことができる。（４）の範囲は、従来どおりＥ１Ｌバイトを用いて通話を行うことができる。
【００４７】
（５）の範囲は、Ａ地域中心局端局伝送装置１−２の打ち合わせ用電話機１−９ａ→Ａ地域中心局端局伝送装置１−２のＥ１Ｌバイト抽出挿入部→ＬＳＶ回線１−６２→再生中継装置１−４のＥ１Ｌバイト抽出挿入部→再生中継装置１−４のアナログインタフェース部１−８２’→再生中継装置１−４のＥ１バイト抽出挿入部→ＳＤＨフレームの主信号回線１−６１→Ｂ地域端局伝送装置１−５のＥ１バイト抽出挿入部→Ｂ地域端局伝送装置１−５の打ち合わせ用電話機１−９ｆの経路により、通話を行うことができる。（６）の範囲は、従来どおりＥ１Ｌバイトを用いて通話を行うことができる。
【００４８】
（７）の範囲は、Ａ地域中心局端局伝送装置１−２の打ち合わせ用電話機１−９ｂ→Ａ地域中心局端局伝送装置１−２のＥ１バイト抽出挿入部→再生中継装置１−４のＥ１バイト抽出挿入部→ＳＤＨフレームの主信号回線１−６１→再生中継装置１−４のアナログインタフェース部１−８２’→再生中継装置１−４のＥ１Ｌバイト抽出挿入部→ＬＳＶ回線１−６２→線型中継装置１−３のＥ１Ｌバイト抽出挿入部→線型中継装置１−３の打ち合わせ用電話機１−９ｃの経路により、通話を行うことができる。（８）の範囲は、従来どおりＥ１バイトを用いて通話を行うことができる。
【００４９】
（９）の範囲は、Ａ地域中心局端局伝送装置１−２の打ち合わせ用電話機１−９ｂ→Ａ地域中心局端局伝送装置１−２のＥ１バイト抽出挿入部→ＳＤＨフレームの主信号回線１−６１→再生中継装置１−４のＥ１バイト抽出挿入部→再生中継装置１−４のアナログインタフェース部１−８２’→再生中継装置１−４の打ち合わせ用電話機１−９ｅの経路により、通話を行うことができる。（１０）の範囲は、従来どおりＥ１バイトを用いて通話を行うことができる。
【００５０】
（１１）の範囲は、Ａ地域中心局端局伝送装置１−２の打ち合わせ用電話機１−９ｂ→Ａ地域中心局端局伝送装置１−２のＥ１バイト抽出挿入部→ＳＤＨフレームの主信号回線１−６１→再生中継装置１−４のＥ１バイト抽出挿入部→再生中継装置１−４のアナログインタフェース部１−８２’→再生中継装置１−４のＥ１Ｌバイト抽出挿入部→ＬＳＶ回線１−６２→Ｂ地域端局伝送装置１−５のＥ１Ｌバイト抽出挿入部→Ｂ地域端局伝送装置１−５の打ち合わせ用電話機１−９ｇの経路により、通話を行うことができる。
【００５１】
（１２）の範囲は、線型中継装置１−３の打ち合わせ用電話機１−９ｃ→線型中継装置１−３のＥ１Ｌバイト抽出挿入部→ＬＳＶ回線１−６２→再生中継装置１−４のＥ１Ｌバイト抽出挿入部→再生中継装置１−４のアナログインタフェース部１−８２’→再生中継装置１−４の打ち合わせ用電話機１−９ｄの経路により、通話を行うことができる。（１３）の範囲は、従来どおりＥ１Ｌバイトを用いて通話を行うことができる。
【００５２】
（１４）の範囲は、線型中継装置１−３の打ち合わせ用電話機１−９ｃ→線型中継装置１−３のＥ１Ｌバイト抽出挿入部→ＬＳＶ回線１−６２→再生中継装置１−４のＥ１Ｌバイト抽出挿入部→再生中継装置１−４のアナログインタフェース部１−８２’→再生中継装置１−４のＥ１バイト抽出挿入部→ＳＤＨフレームの主信号回線１−６１→Ｂ地域端局伝送装置１−５のＥ１バイト抽出挿入部→Ｂ地域端局伝送装置１−５の打ち合わせ用電話機１−９ｆの経路により、通話を行うことができる。（１５）の範囲は、従来どおりＥ１Ｌバイトを用いて通話を行うことができる。
【００５３】
（１６）の範囲は、再生中継装置１−４の打ち合わせ用電話機１−９ｄ→再生中継装置１−４のアナログインタフェース部１−８２’→再生中継装置１−４の打ち合わせ用電話機１−９の経路により、通話を行うことができる。（１７）の範囲は、従来どおりＥ１バイトを用いて通話を行うことができる。
【００５４】
（１８）の範囲は、再生中継装置１−４の打ち合わせ用電話機１−９ｄ→再生中継装置１−４のアナログインタフェース部１−８２’→再生中継装置１−４のＥ１Ｌバイト抽出挿入部→ＬＳＶ回線１−６２→Ｂ地域端局伝送装置１−５のＥ１Ｌバイト抽出挿入部→Ｂ地域端局伝送装置１−５の打ち合わせ用電話機１−９ｇの経路により、通話を行うことができる。
【００５５】
（１９）の範囲は、再生中継装置１−４の打ち合わせ用電話機１−９ｅ→再生中継装置１−４のアナログインタフェース部１−８２’→再生中継装置１−４のＥ１バイト抽出挿入部→ＳＤＨフレームの主信号回線１−６１→Ｂ地域端局伝送装置１−５のＥ１バイト抽出挿入部→Ｂ地域端局伝送装置１−５の打ち合わせ用電話機１−９ｆの経路により、通話を行うことができる。（２０）の範囲は、従来どおりＥ１Ｌバイトを用いて通話を行うことができる。
【００５６】
（２１）の範囲は、Ｂ地域端局伝送装置１−５の打ち合わせ用電話機１−９ｆ→Ｂ地域端局伝送装置１−５のＥ１バイト抽出挿入部→ＳＤＨフレームの主信号回線１−６１→再生中継装置１−４のＥ１バイト抽出挿入部→再生中継装置１−４のアナログインタフェース部１−８２’→再生中継装置１−４のＥ１Ｌバイト抽出挿入部→ＬＳＶ回線１−６２→Ｂ地域端局伝送装置１−５のＥ１Ｌバイト抽出挿入部→Ｂ地域端局伝送装置１−５の打ち合わせ用電話機１−９ｇの経路により、通話を行うことができる。
【００５７】
図２は本発明の実施の形態の打合わせ回線システムの通話経路説明図である。同図において、前記図１に示した（３）の範囲における通話の経路を太線により示している。又、同図において、Ａ地域及びＢ地域の端局伝送装置並びに線型中継装置、再生中継装置の構成は、図１に示したものと同一であり、同一の符号を付している。
【００５８】
Ａ地域中心局端局伝送装置１−２の保守者は、打ち合わせ用電話機１−９ａを用いて、Ａ地域中心局端局伝送装置１−２のアナログインタフェース部１−８２→Ａ地域中心局端局伝送装置１−２のデジタルアナログ変換部１−８１→Ａ地域中心局端局伝送装置１−２のＥ１Ｌバイト抽出挿入部１−７２→ＬＳＶ回線１−６２→再生中継装置１−４のＥ１Ｌバイト抽出挿入部１−７２→再生中継装置１−４のディジタルアナログ変換部１−８１→再生中継装置１−４のアナログインタフェース部１−８２’のカップリング回路→再生中継装置１−４の打ち合わせ用電話機１−９ｄの経路により、再生中継装置１−４の保守者と打ち合わせ通話を行うことができる。前述した（１）〜（２１）の範囲の他の打ち合わせ通話の接続経路は、図２に示した例から容易に類推することができるので、冗長な説明は省略する。
【００５９】
図３は本発明の実施の形態の打ち合わせ回線のカップリング機能の説明図である。図において、（Ａ）は端局伝送装置又は再生中継装置における打ち合わせ回線接続部の要部説明図であり、３−１はＳＤＨフレーム多重分離部、３−１１はＥ１バイト抽出部、３−１２はＥ１バイト挿入部、３−２はＬＳＶフレーム多重分離部、３−２１はＥ１Ｌバイト抽出部、３−２２はＥ１Ｌバイト挿入部、３−４１は第１のアナログ変換部、３−４２は第２のアナログ変換部、３−５１は第１のディジタル変換部、３−５２は第２のディジタル変換部、３−６はＥ１バイトアナログ処理部、３−６１は第１の加算回路、３−６２は第２の加算回路、３−６３は第３の加算回路、３−６４はバッファアンプ、３−７はＥ１Ｌバイトアナログ処理部、３−７１は第１の加算回路、３−７２は第２の加算回路、３−７３は第３の加算回路、３−７４はバッファアンプ、３−８１は第１の打ち合わせ用電話機、３−８２は第２の打ち合わせ用電話機である。又、同図において（Ｂ）は音声信号をカップリングする加算回路の説明図である。
【００６０】
図３において、主信号のＳＤＨフレームの打ち合わせ用Ｅ１バイトの音声信号は、ＳＤＨフレーム多重分離部３−１内のＥ１バイト抽出部３−１１により、主信号から分離抽出され、第１のアナログ変換部３−４１によりアナログ音声信号に変換され、Ｅ１バイトアナログ処理部３−６内の第１の加算回路３−６１を介して、オフフックにより通話中の第１の打ち合わせ用電話機３−８１に送出される。この電話機３−８１がオンフックで通話中でない場合は、第３の加算回路３−６３→第２の加算回路３−６２→ディジタル変換部３−５１→ＳＤＨフレーム多重分離部３−１内のＥ１バイト挿入部３−１２を経由して、ＳＤＨフレームのＥ１バイトに挿入され、又第３の加算回路３−６３→Ｅ１Ｌバイトアナログ処理部３−７内の第２の加算回路３−７２→第２のディジタル変換部３−５２→ＬＳＶ信号多重分離部３−２内のＥ１Ｌバイト挿入部３−２２を経由して、ＬＳＶ信号のＥ１Ｌバイトに挿入されて送出される。
【００６１】
又、前記Ｅ１バイトの音声信号は、Ｅ１バイトアナログ処理部３−６内の第１の加算回路３−６１→第３の加算回路３−６３→Ｅ１Ｌバイトアナログ処理部３−７内の第２の加算回路３−７２→第１の加算回路３−７１→第２の打ち合わせ用電話機３−８２の経路により、第２の打ち合わせ用電話機３−８２に送出することができる。
【００６２】
一方、ＬＳＶ信号の打ち合わせ用Ｅ１Ｌバイトの音声信号は、ＬＳＶ信号多重分離部３−２内のＥ１Ｌバイト抽出部３−２１により、主信号から分離抽出され、第２のアナログ変換部３−４２によりアナログ音声信号に変換され、Ｅ１Ｌバイトアナログ処理部３−７内の第１の加算回路３−７１を介して、オフフックにより通話中の第２の打ち合わせ用電話機３−８２に送出される。又オンフックで通話中でない場合は、第３の加算回路３−７３→Ｅ１バイトアナログ処理部３−６内の第２の加算回路３−６２→第１のディジタル変換部３−５１→ＳＤＨフレーム多重分離部３−１内のＥ１バイト挿入部３−１２を経由して、ＳＤＨフレームのＥ１バイトの音声信号として送出される。
【００６３】
又、前記Ｅ１Ｌバイトの音声信号は、Ｅ１Ｌバイトアナログ処理部３−７内の第１の加算回路３−７１→第３の加算回路３−７３→Ｅ１バイトアナログ処理部３−６内の第２の加算回路３−６２→第１の加算回路３−６１→第１の打ち合わせ用電話機３−８１の経路により、第１の打ち合わせ用電話機３−８１に送出することができる。
【００６４】
更に、第１の打ち合わせ用電話機３−８１から出力される音声信号は、Ｅ１バイトアナログ処理部３−６内の第３の加算回路３−６３→第２の加算回路３−６２→第１のディジタル変換部３−５１→Ｅ１バイト挿入部３−１２の経路により、ＳＤＨフレームのＥ１バイトを介して伝送されるとともに、Ｅ１バイトアナログ処理部３−６内の第３の加算回路３−６３→Ｅ１Ｌバイトアナログ処理部３−７内の第２の加算回路３−７２→第２のディジタル変換部３−５２→Ｅ１Ｌバイト挿入部３−２２の経路により、ＬＳＶ信号のＥ１Ｌバイトを介して伝送され、又、前記Ｅ１Ｌバイトアナログ処理部３−７内の第２の加算回路３−７２→第１の加算回路３−７１→第２の打ち合わせ用電話機３−８２の経路により、第２の打ち合わせ用電話機３−８２に送出することができる。
【００６５】
一方、第２の打ち合わせ用電話機３−８２から出力される音声信号は、Ｅ１Ｌバイトアナログ処理部３−７内の第３の加算回路３−７３→第２の加算回路３−７２→第２のディジタル変換部３−５２→Ｅ１Ｌバイト挿入部３−２２の経路により、ＬＳＶ信号のＥ１Ｌバイトを介して伝送されるとともにに、Ｅ１Ｌバイトアナログ処理部３−７内の第３の加算回路３−７３→Ｅ１バイトアナログ処理部３−６内の第２の加算回路３−６２→第１のディジタル変換部３−５１→Ｅ１バイト挿入部３−１２の経路により、ＳＤＨフレームのＥ１バイトを介して伝送され、又、前記Ｅ１バイトアナログ処理部３−６７内の第２の加算回路３−６２→第１の加算回路３−６１→第１の打ち合わせ用電話機３−８１の経路により、第１の打ち合わせ用電話機３−８１に送出することができる。
【００６６】
このように、ＳＤＨフレーム内のＥ１バイトの音声信号とＬＳＶ信号フレームのＥ１Ｌバイトの音声信号は、Ｅ１バイトアナログ処理部３−６及びＥ１Ｌバイトアナログ処理部３−７のそれぞれに設けた加算回路により合成され、それぞれＥ１バイトとＥ１Ｌバイトとに分配されて送出されるもので、Ｅ１バイトとＥＩＬバイトとのカップリング機能を持たせることができる。
【００６７】
図３（Ｂ）は、前記加算回路３−６１，３−６２，３−６３，３−７１，３−７２，３−７３に用いられる加算回路の構成例を示し、該加算回路は演算増幅器を用いて構成することができる。
図３（Ｂ）において、３−９０は演算増幅器を用いた加算回路、３−９１は第１の入力端子、３−９２は第２の入力端子、３−９３は出力端子である。又、ａは第１の入力端子３−９１に入力される信号、ｂは第２の入力端子３−９２に入力される信号、ｃ（点線で示した波形）は出力端子３−９３から出力される信号を示している。なお、通常は、二者通話であるから、信号ａ，ｂの何れか一方のみが入力される状態となる。
【００６８】
図３（Ｂ）に示すように、第１及び第２の入力端子３−９１，３−９２に入力される信号ａ及びｂは加算回路３−９０により加算され、出力端子３−９３からは信号ａ及び信号ｂを加算した信号ｃが出力され、打ち合わせ用電話機に加えられるか、又はＥ１バイトとＥ１Ｌバイトとに分配して送出される。
【００６９】
前述のように、Ｅ１バイトアナログ処理部３−６及びＥ１Ｌバイトアナログ処理部３−７によりカップリング回路が構成されることになり、該カップリング回路は、Ｅ１バイトアナログ処理部３−６及びＥ１Ｌバイトアナログ処理部３−７内に設けたバッファアンプ３−６４，３−７４を適宜制御することにより、回り込みによるハウリングを防止し、かつ所望の信号同士を任意にカップリングすることができる。
【００７０】
以上説明した本発明の実施の形態は、ＳＤＨフレームのセクションオーバヘッド（ＳＯＨ）内のＥ１バイトを用いた打ち合わせ回線処理部とＬＳＶフレーム内のＥ１Ｌバイトを用いた打ち合わせ回線処理部とを同一システム内に具備し、再生中継装置のアナログ処理部に、Ｅ１バイトのアナログ信号とＥ１Ｌバイトのアナログ信号のカップリング回路とを設けたものであるが、Ｅ１バイトのアナログ信号とＥ１Ｌバイトのアナログ信号のカップリング回路は、端局伝送装置に設けることができるもので、端局伝送装置に設けた場合でも同様に機能することは明らかである。
【００７１】
但し、端局伝送装置にＥ１バイトのアナログ信号とＥ１Ｌバイトのアナログ信号のカップリング回路を設けた場合は、打ち合わせ回線システム内のハウリング等の弊害を避けるため、再生中継装置のアナログ処理部にはカップリング機能は持たせない方がよい。
【００７２】
又、Ｅ１バイトの音声信号とＥ１Ｌバイトの音声信号とのカップリング手段は、アナログ信号として合成，分配する場合を示し、回路構成が比較的簡単となるものであるが、ディジタルアナログ変換を行う前にディジタル信号処理によりカップリングさせる構成を適用することも可能である。
【００７３】
【発明の効果】
以上説明したように、本発明は、打ち合わせ回線システム内にＳＤＨフレーム内のＥ１バイトを用いた打ち合わせ回線とＬＳＶフレーム内のＥ１Ｌバイトを用いた打ち合わせ回線との２つの機能を併せ持ち、かつ、端局伝送装置又は中継装置においてこの２つの異なった打ち合わせ回線の音声信号をカップリングしたことにより、保守者はそれぞれの打ち合わせ回線を任意に選択することができ、各装置間の保守情報のやり取りを容易にしている。
【００７４】
又、それぞれの打ち合わせ回線の伝送品質の劣化又は打ち合わせ回線処理部の装置故障による、通話不能区間を相互に補完することができるので、打ち合わせ通話不能区間を大幅に低減させることができ、保守のための打ち合わせ回線が通話不能となる確率を大幅に低減することができる。
【図面の簡単な説明】
【図１】本発明の実施の形態の打ち合わせ回線システムの説明図である。
【図２】本発明の実施の形態の打合わせ回線システムの通話経路説明図である。
【図３】本発明の実施の形態の打ち合わせ回線のカップリング機能の説明図である。
【図４】従来のＳＤＨフレーム信号を用いた打ち合わせ回線システムの説明図である。
【図５】ＬＳＶシステムの説明図である。
【図６】線型中継装置の説明図である。
【図７】従来のＬＳＶフレーム信号を用いた打ち合わせ回線の説明図である。
【図８】ＳＤＨフレーム及びＬＳＶ信号のフレームの説明図である。
【図９】ＳＤＨフレームを用いた打ち合わせ回線の通話不能区間の説明図である。
【図１０】ＬＳＶフレームを用いた打ち合わせ回線の通話不能区間の説明図である。
【符号の説明】
１−１  ネットワーク監視装置
１−２  Ａ地域中心局端局伝送装置
１−３  線型中継装置
１−４  再生中継装置
１−５  Ｂ地域端局伝送装置
１−６１  ＳＤＨフレームの主信号回線
１−６２  ＬＳＶ回線
１−７１  Ｅ１バイト抽出挿入部
１−７２  Ｅ１Ｌバイト抽出挿入部
１−８１  ディジタル／アナログ変換部
１−８２  アナログインタフェース部
１−８２’  カップリング手段を備えたアナログインタフェース部
１−９ａ〜１−９ｇ  打ち合わせ用電話機
（１）〜（２１）  Ａ地域中心局端局伝送装置１−２、線型中継装置１−３、再生中継装置１−４及びＢ地域端局伝送装置１−５間の打ち合わせ通話可能な範囲
【図１】
0003747393.tif 000002
【図２】
0003747393.tif 000003
【図３】
0003747393.tif 000004
【図４】
0003747393.tif 000005
【図５】
0003747393.tif 000006
【図６】
0003747393.tif 000007
【図７】
0003747393.tif 000008
【図８】
0003747393.tif 000009
【図９】
0003747393.tif 000010
【図１０】
0003747393.tif 000011